(57)【要約】【課題】カール等に変形した原稿に対して、位置決め及びセットを簡単に行なうこと。【解決手段】原稿６が載置される原稿台７と、原稿台７に開閉可能に設けられ、前記原稿台７に載置された原稿６を押圧する原稿押圧部材４を有するカバー部３を設けた画像読取装置１００において、原稿押圧部材４は、原稿台７に対向する位置に原稿台７に向けて凸部を有する。更に、凸部には凸部頂点位置４ａを有し、カバー部３を閉じる際、凸部頂点位置４ａが原稿６の原稿基準６ａを押圧した後、更にカバー部３を閉じると、原稿押圧部材４が原稿６のカールを伸張するように作用する。【選択図】    図1
2011002488.tif 000002
【特許請求の範囲】
【請求項１】
原稿が載置される原稿台と、
前記原稿台に開閉可能に設けられ、前記原稿台に載置された原稿を押圧する原稿押圧部材を有するカバー部を設けた画像読取装置において、
前記原稿押圧部材は、前記原稿台に対向する位置に前記原稿台に向けて凸部を有することを特徴とする画像読取装置。
【請求項２】
前記カバー部は、前記原稿台に回転可能に支持される回転支持部を備えており、
前記凸部は、前記回転支持部の近傍に、他の部分より突出量が大きい凸部頂点であることを特徴とする請求項１に記載の画像読取装置。
【請求項３】
前記凸部頂点は、前記カバー部が前記原稿台に対して閉じられたときに、前記原稿台の読取基準位置を押圧することを特徴とする請求項２に記載の画像読取装置。
【請求項４】
前記凸部頂点は、前記回転支持部の軸方向に亘って延在していることを特徴とする請求項２に記載の画像読取装置。
【請求項５】
前記凸部頂点は、前記回転支持部の軸方向及びこれに直角な方向に亘って一箇所であることを特徴とする請求項２に記載の画像読取装置。
【請求項６】
前記カバー部が前記原稿台に対して閉じられたときに、前記凸部は前記原稿台に対して平坦化し、
前記カバー部は、前記凸部の平坦化により押し出された前記原稿押圧部材が退避する退避部を備えることを特徴とする請求項１乃至５いずれか一に記載の画像読取装置。
【請求項７】
前記カバー部が前記原稿台に対して閉じられたときに、前記凸部は前記原稿台に対して平坦化し、
前記カバー部は、前記凸部の平坦化により押し出された前記原稿押圧部材を巻き取る巻取り部を備えることを特徴とする請求項１乃至４いずれか一に記載の画像読取装置。
【請求項８】
前記巻取り部は、前記カバー部の回転角度に応じて、前記原稿押圧部材を巻き取ることを特徴とする請求項７に記載の画像読取装置。
【請求項９】
前記カバー部が前記原稿台に対して閉じられたときに、前記凸部は前記原稿台に対して平坦化し、
前記カバー部は、前記凸部の平坦化により押し出された前記原稿押圧部材の端部をスライドさせる溝部を備えることを特徴とする請求項１乃至４いずれか一に記載の画像読取装置。
【請求項１０】
前記凸部は付勢部材により付勢されることにより形成され、
前記付勢部材は前記原稿押圧部材と前記カバー部の間に設けられ、前記原稿押圧部材を前記原稿台に向けて付勢することを特徴とする請求項１に記載の画像読取装置。
【請求項１１】
前記付勢部材は、複数個のスプリングからなることを特徴とする請求項１０に記載の画像読取装置。
【請求項１２】
前記カバー部は、前記装置本体に回転可能に支持される回転支持部を備えており、
前記スプリングのうち、前記回転支持部の近傍端部に配置されるスプリングの自由長は、回転支持部の他端部側に配置されるスプリングの自由長より長いことを特徴とする請求項１１に記載の画像読取装置。
【請求項１３】
前記カバー部は、前記装置本体に回転可能に支持される回転支持部を備えており、
前記スプリングのうち、前記回転支持部の近傍端部に配置されるスプリングの線径は、回転支持部の他端部側に配置されるスプリングの線径よりも細いことを特徴とする請求項１１又は１２に記載の画像読取装置。
【請求項１４】
前記スプリングは、
前記回転支持部の他端部より、前記回転支持部の近傍の方が線径を細くし、
前記カバー部を開いた状態では、前記回転支持部の他端部より、前記回転支持部の近傍の方が付勢力が弱く、前記カバー部を閉じた状態では、前記回転支持部の他端部から前記回転支持部の近傍まで付勢力が均一になるように設定されていることを特徴とする請求項１１又は１２に記載の画像読取装置。
【請求項１５】
前記付勢部材は、発泡部材からなることを特徴とする請求項１０に記載の画像読取装置。
【請求項１６】
前記付勢部材は、環状に形成された複数の付勢部材からなり、前記付勢部材は前記カバー部にその両端が固着され、前記原稿押圧部材を前記原稿台に向けて付勢することを特徴とする請求項１０に記載の画像読取装置。
【請求項１７】
前記付勢部材は、環状に形成された複数の長さの異なる枝状の付勢部材と、前記複数の枝状の付勢部材を連結する幹状の付勢部材からなり、前記枝状の付勢部材は前記原稿押圧部材にその両端が固着され、前記原稿押圧部材を前記原稿台に向けて付勢することを特徴とする請求項１０に記載の画像読取装置。
【請求項１８】
原稿が載置される原稿台と、
前記原稿台に開閉可能に設けられ、前記原稿台に載置された原稿を押圧する原稿押圧部材を有するカバー部を設けた画像読取装置において、
前記原稿押圧部材は、
可撓性部材からなり、かつ、前記原稿台に対向する位置に前記原稿台に向けて凸部を設け、前記カバー部を閉じていくことで前記原稿台との接触量を前記凸部の頂部から次第に増加していくことを特徴とする画像読取装置。
【発明の詳細な説明】
【技術分野】
【０００１】
本発明は、複写装置、ファクシミリ装置等の画像読取装置に関するものである。
【背景技術】
【０００２】
従来、画像読取装置においては、原稿台に載置された原稿を読取るために、移動可能に配置された読取センサと、読取センサを内蔵し原稿を密着して載置するためのコンタクトガラスを有する原稿台と、このコンタクトガラス上に原稿を挟持するためのカバーが設けられている。特開２００６−７８５１６号公報（特許文献１）には、原稿を載置する原稿載置台と、原稿載置台上を開閉するカバーとを有し、原稿載置台上に載置される原稿の画像を読取る画像読取装置が記載されている。
【先行技術文献】
【特許文献】
【０００３】
【特許文献１】特開２００６−７８５１６号公報
【発明の概要】
【発明が解決しようとする課題】
【０００４】
しかしながら、原稿台に載置する原稿の状態には種々あり、変形していない原稿と、カール、シワ、折り目、用紙端の波打ち、用紙端の反り返り等の変形している原稿とがある。ここで、例えば筒状にカールした原稿を原稿台に載置するには、カールした原稿を片手で平坦化し、素早くその手を引きながら他方の手でカバーを閉じるという操作をする必要がある。その際に原稿の位置がずれたり、原稿が折れ曲がったりする不具合が生じるおそれがあり、その結果、読取画像の精度が落ちるという問題があった。
【０００５】
本発明の目的は、カール等の変形した原稿に対して、位置決め及びセットを簡単に行なうことができ、従って操作性に優れ、かつ原稿の位置ずれや原稿の折れ曲りを防ぎ、読取画像の精度が落ちることのない画像読取装置を提供することである。
【課題を解決するための手段】
【０００６】
上記課題を解決するために請求項１に係る発明は、原稿が載置される原稿台と、前記原稿台に開閉可能に設けられ、前記原稿台に載置された原稿を押圧する原稿押圧部材を有するカバー部を設けた画像読取装置において、前記原稿押圧部材は、前記原稿台に対向する位置に前記原稿台に向けて凸部を有することを特徴とする画像読取装置である。
【０００７】
更に、請求項１８に係る発明は、原稿が載置される原稿台と、前記原稿台に開閉可能に設けられ、前記原稿台に載置された原稿を押圧する原稿押圧部材を有するカバー部を設けた画像読取装置において、前記原稿押圧部材は、可撓性部材からなり、かつ、前記原稿台に対向する位置に前記原稿台に向けて凸部を設け、前記カバー部を閉じていくことで前記原稿台との接触量を前記凸部の頂部から次第に増加していくことを特徴とする画像読取装置である。
【発明の効果】
【０００８】
本発明によれば、画像読取装置のカバー部の原稿押圧部材が、前記原稿台に対向する位置に前記原稿台に向けて凸部を有するようにしたので、当該凸部によって前記原稿を押圧し、変形した原稿を平坦化することができる。従って、カール等の変形した原稿に対して、位置決め及びセットを簡単に行なうことができ、操作性に優れ、かつ原稿の位置ずれや原稿の折れ曲りを防ぎ、読取画像の精度が落ちることのない画像読取装置を提供することができる。
【図面の簡単な説明】
【０００９】
【図１】第１の実施の形態に関する画像読取装置の斜視図である。
【図２】変形した原稿の例を示す説明図である。
【図３】第１の実施の形態に関するスキャナのカバーを示す説明図である。
【図４】原稿を読取る際の原稿の設置時の原稿押圧部材の状態の変化を示す説明図である。
【図５】原稿台の読取基準位置の近傍を示す説明図である。
【図６】第１の実施の形態の変形例１に関するカバーを示す説明図である。
【図７】同じく変形例２に関するカバーを示す説明図である。
【図８】同じく変形例３に関するカバーを示す説明図である。
【図９】同じく変形例４に関するカバーを示す説明図である。
【図１０】同じく変形例４に関するカバーの横断面を示す説明図である。
【図１１】同じく変形例５に関するカバーの横断面を示す説明図である。
【図１２】第２の実施の形態に関する画像読取装置の斜視図である。
【図１３】第２の実施の形態に関するカバーを内部から見たとした場合の説明図である。
【図１４】図１３におけるＥＥ断面を示す説明図である。
【図１５】第２の実施の形態の変形例１を示す斜視図である。
【図１６】第２の実施の形態の変形例１に関するカバーを内部から見たとした場合の説明図である。
【図１７】図１６におけるＦＦ断面を示す説明図である。
【図１８】第２の実施の形態の変形例２を示す斜視図である。
【図１９】第２の実施の形態の変形例２に関するカバーを内部から見たとした場合の説明図である。
【図２０】図１９におけるＪＪ断面を示す説明図である。
【図２１】第２の実施の形態の変形例２に関する板バネの斜視図である。
【発明を実施するための形態】
【００１０】
＜第１の実施の形態＞
以下、第１の実施の形態を図面に従って説明する。図１は第１の実施の形態に関する画像読取装置の斜視図である。同図に示すように、画像読取装置であるスキャナ１００は、原稿読取部１及びカバー３からなる。
【００１１】
原稿読取部１には、原稿６を載置するためのコンタクトガラス２を含む原稿台７と、操作者が原稿６の読取りに際し各種設定事項を入力する操作部５が設けられている。前記カバー３は、操作部５から見て原稿読取部１の奥側に設けた回転支持部３１を回転軸として回転可能に支持され、原稿台７の原稿載置面に対して上下方向に開閉可能である。カバー３は閉状態において読取り原稿を押圧して保持する。原稿台７の内部には、図示しない読取手段が設けられており、読取手段はコンタクトガラス２に沿って原稿台７の内部を移動することにより、原稿台７のコンタクトガラス２に載置された原稿６を走査し、原稿６の情報を読み取る。なお、以下カバー３の回転支持部３１の方向をＸ軸とし、操作部５から見て手前から奥側への方向をＹ軸とし、鉛直方向をＺ軸として説明する。
【００１２】
コンタクトガラス２は前記原稿６を載置する透明なガラスからなり、操作者が原稿６の読取面を下側にして載置する。つまり、原稿６の読み取り面をコンタクトガラス２に対向させて配置することにより、図示しない読取手段が原稿６の読取面を読取り可能となる。コンタクトガラス２にはその角部に、原稿６を載置する際の基準、また、読取手段の読取基準位置としての読取基準位置７ａが設けられている。操作者は、原稿台７の読取基準位置７ａに合わせて原稿６の原稿基準６ａをセットする。本実施の形態において、原稿基準６ａは原稿６の左上角部であり、読取基準位置７ａは図１に示すコンタクトガラス２において＋（プラス）Ｙ方向端部と−（マイナス）Ｘ方向端部であるコンタクトガラス２の奥側の一角部である。
【００１３】
図５は原稿台７の読取基準位置７ａの近傍を示す説明図である。原稿台７の読取基準位置７ａには、コンタクトガラス２との間に段差がある。これにより、原稿６を原稿台７にセットする際に、コンタクトガラス２との段差に原稿６の原稿基準６ａを突き当てることで、原稿６を原稿台７の読取基準位置７ａに位置決めできる。操作者が原稿６の大きさの大小に係わらず原稿６の原稿基準６ａを原稿台７の読取基準位置７ａに合わせてセットすると、図示しない読取手段は読取基準位置７ａを読取動作の基準位置として原稿６の読取面を読取る。操作部５は操作者が各種設定事項を入力し易いように操作者から見て原稿読取部１の手前側に設けられる。
【００１４】
カバー３は、前述の通り操作部５から見て原稿読取部１の奥側に設けた回転支持部３１を回転軸として、原稿台７の原稿載置面に対して上下方向に開閉可能である。操作者はカバー３の開閉に際し、カバー３の手前側に設けた取手３２を使ってカバー３を開閉する。カバー３には、原稿台７に対向する面の、少なくともコンタクトガラス２に対向する面全面に原稿押圧部材４が設けられている。
【００１５】
原稿押圧部材４は可撓性を有する材料、例えばＰＥＴフィルムなどで形成されており、外力に対して柔軟に変形可能な構成になっている。原稿押圧部材４は、カバー３を原稿台７に対して閉状態にしたとき、原稿６をコンタクトガラス２へ押し付け、同時に、原稿６がカールしていた場合又はシワになっていた場合に原稿６のカール又はシワを伸張することができる。原稿押圧部材４の内部には、後述する複数のスプリング８が、原稿押圧部材４をカバー３から原稿台７に向けて付勢する付勢部材として設けられる。
【００１６】
図２は変形した原稿６の例を示す説明図である。同図（ａ）はＸ軸方向にカールした原稿６−１を示し、同図（ｂ）はＹ軸方向にカールした原稿６−２を示し、同図（ｃ）は折り目を有する原稿６−３を示す。Ｘ軸方向にカールした原稿６−１の角が原稿基準６−１ａであり、Ｙ軸方向にカールした原稿６−２の角が原稿基準６−２ａであり、折り目を有する原稿６−３の角が原稿基準６−３ａである。変形した原稿６には、他にシワ、用紙端の波打ち、用紙端の反り返り等があるが説明を省略する。
【００１７】
図３は第１の実施の形態に関するスキャナ１００のカバー３を示す説明図である。同図（ａ）はカバー３を閉じたときに原稿台７に対向する面であるカバー３の底面３ａを、カバー３を略９０度開いて操作部５側から見た状態を示す説明図であり、同図（ｂ）は同図（ａ）におけるＢＢ断面を示す説明図である。同図（ａ）において、カバー３の原稿押圧部材４の内部には複数種類のスプリング８ａ１〜３、８ｂ１〜３、８ｃ１〜３が設けられる。スプリング８ａ１〜３は操作部５から見て一番奥側、即ち、前記回転支持部３１の近傍端部に設けられ、この位置が次に述べる原稿押圧部材４の凸部頂点位置４ａの位置と対応する。以下回転支持部３１から取手３２に向けて順にスプリング８ｂ１〜３、一番手前側にスプリング８ｃ１〜３が配置されている。
【００１８】
同図（ｂ）において、原稿押圧部材４はコンタクトガラス２の方向に向けて凸状になるように形状が保持されている。この凸形状は前記回転支持部３１の近傍端部に凸部頂点位置４ａを有し、凸部頂点位置４ａから操作部５側の方向には、斜面４ｂを経て、曲げ部４ｃ、直線部４ｄ、稜線４ｅが形成される。一方、凸部頂点位置４ａから回転支持部３１側の方向には、前記斜面４ｂより急な斜面４ｆを経て、曲げ部４ｇ、直線部４ｈ、稜線4kが形成される。曲げ部４ｃと曲げ部４ｇの間は前記凸部頂点位置４ａを頂点とした曲線状の形状又は滑らかな凸形状を有している。同図（ｂ）に示す原稿押圧部材４の凸形状及び前記各部４ａ〜4kの形状はＸ軸方向に沿って同じ形状で延在している。
【００１９】
原稿押圧部材４の前記凸部頂点位置４ａは、各部４ａ〜4kのうち、原稿台７に向かって最大の突出量を形成する。従って、カバー３が閉じられる際には、最初に凸部頂点位置４ａが原稿台７に接触することになる。斜面４ｂは、凸部頂点位置４ａから曲げ部４ｃまで緩やかな斜面を形成する。従って、カバー３が閉じられるにつれて、原稿台７との接触面積を増加していくことになる。それに連れて、斜面４ｂにおける押圧されて余った原稿押圧部材４の一部は、順次矢印Ｄ方向に押されることになる。曲げ部４ｃは通常の状態では図示のように、斜面４ｂと直線部４ｄの間で鈍角を形成している。斜面４ｂが矢印Ｄ方向に押されると、その押圧に伴う移動を直線部４ｄに伝える。直線部４ｄは通常の状態では、カバー３に直角状態を維持している。
【００２０】
斜面４ｂが矢印Ｄ方向に押されると、本実施の形態では、直線部４ｄは直線を維持しつつ矢印Ｄ方向に倒れるように傾斜する。なお、直線部４ｄは、カバー３への収容効率の観点から、直線部４ｄは直線を維持する構成とする。ここで原稿押圧部材４に十分な強度があれば、曲げ部４ｃを原稿押圧部材４に形成するだけで直線部４ｄを直線状に維持できる。強度が不足し、直線部４ｄが変形する場合は、直線部４ｄに沿う図示しない補強部材等を追加するとよい。更に、稜線４ｅはカバー３の底面３ａに固定され、これに続く前記直線部４ｄを支持している。
【００２１】
一方、斜面４ｆ、曲げ部４ｇ、直線部４ｈ、稜線4kは、前記斜面４ｂ、曲げ部４ｃ、直線部４ｄ、稜線４ｅとほぼ対称に設けられ、稜線４kはカバー３の底面３ａに固定され、これに続く前記直線部４ｈを支持している。しかしながら斜面４ｆは斜面４ｂより急な勾配でかつ距離は短くてよい。斜面４ｆは、カバー３が閉じられるにつれて、原稿台７との接触面積を増加していくことになり、斜面４ｆにおける押圧されて余った原稿押圧部材４の一部は順次矢印Ｃ方向に押される。斜面４ｆが矢印Ｃ方向に押されると、曲げ部４ｇを介して、直線部４ｈは直線を維持しつつ矢印Ｃ方向に倒れるように傾斜する。
【００２２】
図３（ｂ）に示す回転支持部３１から凸部頂点位置４ａまでのＹ軸方向の距離Ａ１は、図１及び図４（ｃ）に示すように回転支持部３１から読取基準位置７ａまでの距離Ａ２と一致している。即ち、カバー３を原稿台７に対して閉状態にしたときに、凸部頂点位置４ａは読取基準位置７ａに一致し、凸部頂点位置４ａは原稿６の原稿基準６ａを押圧することができる。
【００２３】
原稿押圧部材４とカバー３の間には、それぞれ付勢力の違う複数種類、本実施の形態では３種類のスプリング８ａ１〜３、８ｂ１〜３、８ｃ１〜３がカバー３の底面３ａに固定して設けられる。原稿押圧部材４の回転支持部３１の近傍端部には、前述のように凸部頂点位置４ａが形成される。凸部頂点位置４ａにはスプリング８ａ１〜３が設けられ、前記斜面４ｂの他の位置にはスプリング８ｂ１〜３、８ｃ１〜３が設けられる。スプリング８ａ１〜３、８ｂ１〜３、８ｃ１〜３は原稿押圧部材４とカバー３の間に設けられ、原稿押圧部材４をカバー３から原稿台７に向けて付勢している。
【００２４】
凸部頂点位置４ａに設けられた前記スプリング８ａ１〜３は、他のスプリング８ｂ１〜３、８ｃ１〜３より自由長を長くすることで、このスプリング８ａに付勢された凸部頂点位置４ａの突出量が他のスプリング８ｂ、８ｃに付勢された位置より大きくなる。更に、スプリング８ｂは、スプリング８ｃよりも自由長を長くする。例えば本実施の形態のように３種類のスプリング８ａ、８ｂ、８ｃを使用した場合は、図３に示すように他の２つのスプリング８ｂ、８ｃの自由長をそれぞれ８０ｍｍ、６０ｍｍとした場合に、スプリング８ａの自由長は１００ｍｍとする。スプリング８ａ１〜３、８ｂ１〜３、８ｃ１〜３は、必要となる押圧力に応じて、Ｘ軸方向にいくつ設けてもよい。なお、スプリング８ｂ、８ｃの先端と原稿押圧部材４の間を滑らせるため、スプリング８ｂ、８ｃと原稿押圧部材４の間にスプリングキャップ等の低摩擦部材を配設する。ただし、スプリング８ａの先端と原稿押圧部材４の間は滑らせずに固定する。
【００２５】
ここで、カバー３が閉じた状態のときに、原稿押圧部材４のコンタクトガラス２の全体に対する付勢力が均等に掛かるように、スプリング８を決定する。原稿押圧部材４のコンタクトガラス２に対する押圧力が均一とすることで、カバー３を閉じた後に力のバランスで原稿６のシワの発生を防止する。そのため、例えば、凸部頂点位置４ａを付勢している自由長が長いスプリング８ａの線径を他のスプリング８ｂ、８ｃよりも細く設定する。例えば他のスプリング８ｂ、８ｃの線径をそれぞれ０．５ｍｍとすると、スプリング８ａの線径は０．４ｍｍとする。
【００２６】
原稿押圧部材４の前記直線部４ｄとカバー３の手前側の内壁の間には退避部３３が設けられる。一方、前記直線部４ｈとカバー３の奥側の内壁との間には、前記退避部３３より狭い退避部３４が設けられている。カバー３の閉状態のとき、退避部３３は直線部４ｄが直線状態のまま傾斜して倒れ込み、一方、退避部３４は直線部４ｈが直線状態のまま傾斜して倒れ込むためのスペースとなる。なお、各稜線４ｅ、4kの固定位置は、カバー３の開状態の時に原稿押圧部材４にスプリング８から付与される付勢力、つまり、原稿押圧部材４のスプリング８の変形量から決定される。また、カバー３が大きく、退避部３３が縦方向に十分に大きなスペースを有する場合は、カバー３の閉状態のとき、原稿押圧部材４の直線部４ｄ、４ｈが直線状態のまま傾斜する構成とせずに、直線部４ｄ、４ｈが屈折状態となるようにしてもよい。
【００２７】
第１の実施の形態における原稿６を読取る際の原稿６のセット、つまり設置動作について説明する。図４は原稿６を読取る際の原稿６の設置時の原稿押圧部材４の状態の変化を示す説明図である。同図（ａ）はカバー３を閉じる過程において、前記原稿押圧部材４の凸部頂点位置４ａがコンタクトガラス２に接した時点を示し、同図（ｂ）はその後カバー３を閉じる途中の状態を示し、同図（ｃ）はカバー３の閉状態を示す。
【００２８】
同図（ａ）に示すように、原稿６を原稿台７にセットする際に、原稿６の原稿基準６ａを原稿台７の読取基準位置７ａに合わせて配置する。そして、カールした原稿６を片手で押えながら、カバー３を回転支持部３１を中心に矢印Ｂ方向に回動させる。カバー３を閉じ始めると、カバー３に取り付けられた原稿押圧部材４の凸部頂点位置４ａが、原稿台７のコンタクトガラス２にセットされた原稿６に当接する。もしくは、凸部頂点位置４ａとコンタクトガラス２とが軽く接した状態にして、そこに原稿６をコンタクトガラス２にスライドさせて挿入するようにセットしてもよい。このとき、前述のように原稿押圧部材４の凸部頂点位置４ａ（距離Ａ１）は、原稿台７の読取基準位置７ａ（距離Ａ２）に一致している。従って、原稿押圧部材４の凸部頂点位置４ａは、原稿台７の読取基準位置７ａを押圧すると、同時に原稿６の原稿基準６ａを押圧することになる。このように原稿６に対する位置決めが、原稿押圧部材４の凸部頂点位置４ａにより行なわれるので、原稿６を押えていた手を離しても原稿６の先端は浮き上がったり動いたりしない。
【００２９】
その後、同図（ｂ）に示すようにカバー３を更に閉じていくと、原稿押圧部材４が凸部頂点位置４ａを中心に平坦になるように変形し始める。即ち、前述のように、凸部頂点位置４ａを頂点とした曲線状の形状又は滑らかな凸形状をした原稿押圧部材４は、平坦になることにより、原稿台７との接触量を次第に増加していく。そして、原稿押圧部材４の斜面４ｆは矢印Ｃ方向へ押し出され、斜面４ｂは矢印Ｄ方向へ押し出されることになる。ここで、原稿押圧部材４の稜線４ｅ、4kはカバー３の底面３ａの所定の位置に固定されている。そのため、カバー３を更に閉じると、曲げ部４ｇと曲げ部４ｃが折れ曲がり、直線部４ｄ及び直線部４ｈは両方向のそれぞれの退避部３３及び退避部３４の隙間に退避しながら直線状態のまま傾斜する。
【００３０】
更にまた、同図（ｃ）に示すように、カバー３を更に閉じていくと、奥側の退避部３４の方が手前側の退避部３３より狭く設定されているので、直線部４ｈの方が先にカバー３の奥側の内壁に突き当たり、斜面４ｆは矢印Ｃ方向へは押し出されなくなる。その後は、斜面４ｂのみが矢印Ｄ方向に押し出され、直線部４ｄは退避部３３に傾斜を続ける。このように、原稿押圧部材４の斜面４ｂが矢印Ｄ方向に押圧されるので、凸部頂点位置４ａによってコンタクトガラス２に押し付けられた原稿６のカールは、読取基準位置７ａから操作部５の方向へ伸張されることになる。なお、コンタクトガラス２のカバー３の回転軸側には、段差７ａがあるため、原稿６のカールは回転軸側に伸張することはできない。こうして原稿６は、カバー３を閉じるにつれて、手前側に向けて徐々に平坦化され、正常な読み取りが可能な状態、即ち、コンタクトガラス２に原稿６が密着した状態にセットされる。また、カバー３の閉状態のスプリング８による原稿６の押圧力は均一なので、原稿６にシワは発生しにくい。原稿６の読み取りが完了すると、カバー３を開き、原稿６を取り出すことができる。
【００３１】
図５は原稿台７の読取基準位置７ａの近傍を示す説明図である。原稿台７の読取基準位置７ａには、コンタクトガラス２との間に段差がある。これにより、原稿６を原稿台７にセットする際に、コンタクトガラス２との段差に原稿６の原稿基準６ａを突き当てることで、原稿６を原稿台７の読取基準位置７ａに位置決めできる。位置決めされた後は、カバー３を閉じるとき、まず原稿押圧部材４の凸部頂点位置４ａが、原稿６の原稿基準６ａの位置を押圧する。その後、カバー３を閉じるに従って、コンタクトガラス２に載置された原稿６のカールは、原稿押圧部材４の斜面４ｂにより、操作部５の方向に伸張されることになる。なお、原稿台７の読取基準位置７ａは、前述のようにコンタクトガラス２からカバー３方向に向けた段差を有するが、その高さは原稿６の一般的な厚さ以下とすることで凸部頂点位置４ａにおいて原稿６を押圧し易い。また、読取基準位置７ａには、凸部頂点位置４ａの位置から斜面４ｆの傾斜に対応した傾斜面７ｂを配置することで、原稿押圧部材４により原稿６をコンタクトガラス２に確実に押圧できる。
【００３２】
なお、原稿押圧部材４はカバー３の内側からスプリング８などの付勢部材で凸形状に膨らむように付勢されているが、カバー３を閉じるに従って、カバー３自身の自重や回転支持部に図示しないカムなどを使用して付勢力を予め調整することにより、カバー３は手を離しても閉じた状態を保持する構成としてもよい。
【００３３】
次に、第１の実施の形態の種々の変形例を説明する。図６は第１の実施の形態の変形例１に関するカバーを示す説明図であり、図７は同じく変形例２に関するカバーを示す説明図である。本実施の形態において、原稿押圧部材４を原稿台７の方向に付勢する部材としてコイルスプリング８を使用した例を説明したが、変形例として両図に示すように、スポンジのような弾力のある発泡部材９を使用することも可能である。即ち、発泡部材９は原稿押圧部材４と前記カバー３の間に設けられ、原稿押圧部材４をカバー３から原稿台７に向けて付勢する。発泡部材９は原稿押圧部材４とカバー３の間に設けられ、原稿押圧部材４をカバー３から原稿台７に向けて付勢している。その場合は発泡部材９の形状により、前記凸部頂点位置４ａの突出量が大きくなるようにする。
【００３４】
両図は図３と同様にカバー３の横断面を示す。原稿押圧部材４は原稿台７の方向に向けて凸状になるように形状が保持されている。この凸形状は前記回転支持部３１の近傍端部に凸部頂点位置４ａを有し、図３と同様に斜面４ｂ、曲げ部４ｃ、直線部４ｄ、稜線４ｅを有し、斜面４ｆ、曲げ部４ｇ、直線部４ｈ、稜線4kを有する。原稿押圧部材４の作用は前記第１の実施の形態の説明と同じであるので説明は省略する。また、退避部３３及び退避部３４についても前記第１の実施の形態の説明と同様であるので説明を省略する。
【００３５】
変形例１は、図６に示すように複数の硬度の異なる発泡部材、例えば３種類の硬度の異なる発泡部材９ａ、９ｂ、９ｃをそれぞれ３０度、４０度、５０度又は、発泡倍率３０倍、４０倍、５０倍と３段階に変えて貼り合わせて形成する。
【００３６】
また、変形例２は図７に示すように、発泡部材９を一定の厚さで形成し、原稿押圧部材４の裏面に貼り付け、そしてカバー３の内壁との間に空洞部９ｄを設ける。
【００３７】
これにより、カバー３を閉じたときの原稿台７への付勢力が均等に掛かるようにすることができる。原稿押圧部材４、退避部３３及び退避部３４については前記第１の実施の形態の説明と同様であるので説明を省略する。変形例１及び変形例２によれば、スプリング８ａ、８ｂ、８ｃを設ける必要がなく、製造が比較的簡単なスキャナ１００を提供することができる。なお、変形例２は、発泡部材９の硬度によっては、例えば硬度が高いとカバー３を閉じたときに原稿台７に対する付勢力にばらつきが出る可能性がある。その場合は、稜線４ｅを取手３２側へ移動可能とすることで、発泡部材９が変形するタイミングを全面において一致でき、結果、付勢力を均一にすることができる。
【００３８】
図８は第１の実施の形態の変形例３に関するカバー３を示す説明図である。同図はカバー３を閉じたときに原稿台７に対向する面であるカバー３の底面３ａを、カバー３を略９０度開いて操作部５側から見た状態を示す。カバー３の内部には、図８には示していないが、図３（ａ）に示す第１の実施の形態と同様に複数種類、本変形例では３種類のスプリング８ａ１〜３、８ｂ１〜３、８ｃ１〜３が設けられる。図８において、原稿押圧部材４の凸部頂点位置４ａの位置に前記スプリング８ａ１〜３設けられる。前記第１の実施の形態では、原稿押圧部材４の稜線４ｅ、4kを、カバー３の底面３ａに固定した例で説明したが、変形例３は稜線４ｅ、4kを固定しないものである。即ち、同図に示すように、カバー３の底面３ａには、左右両側にＹ軸方向に延在した溝部３５を設ける。そして、原稿押圧部材４には、各稜線４ｅ、4kをわたる梁４１、４２を設け、各梁４１、４２の両端に各々設けた図示しない鉤を溝部３５に掛けることで、原稿押圧部材４を保持する形状である。
【００３９】
これにより、カバー３を閉め、原稿押圧部材４とコンタクトガラス２との接触量が増えていくに従って、原稿押圧部材４が溝部３５に沿って矢印Ｄ方向に移動するため、原稿押圧部材４に前記曲げ部４ｃ、４ｇを設ける必要がない。また、原稿押圧部材４の変形が一定であるため、原稿押圧部材４は必要最低限の強度、つまり可撓性部材としてスプリング８を保持できればよいことになる。また、原稿押圧部材４の原稿台７への押圧力が、スプリング８のみにより決定される。つまり、カバー３側から原稿台７への押圧力の設定が容易になる。
【００４０】
更に、図９は第１の実施の形態の変形例４に関するカバー３を示す説明図であり、図１０は同じくカバー３の横断面を示す説明図である。図９はカバー３を閉じたときに原稿台７に対向する面であるカバー３の底面３ａを、カバー３を略９０度開いて操作部５側から見た状態を示す。両図に示すように、カバー３の内部には図３（ａ）に示す第１の実施の形態と同様に、複数種類、本変形例では３種類のスプリング８ａ１〜３、８ｂ１〜３、８ｃ１〜３が設けられる。図９において、原稿押圧部材４の凸部頂点位置４ａの位置に前記スプリング８ａ１〜３設けられる。変形例４はカバー３の四隅にスリット状の孔部３６、３７を設け、原稿押圧部材４の各角部に、カバー３の孔部３６、３７を通る腕部４３、４４を設ける。腕部４３、４４はカバー３の孔部３６、３７を突き抜けてカバー３の上面に達し、当該腕部４３、４４の先端には滑車４５、４６を取付ける。滑車４５、４６はカバー３の上面を回転移動する。こうして原稿押圧部材４の前記稜線４ｅは図中矢印Ｄ方向に、前記稜線4kは図中矢印Ｃ方向に移動可能となる。
【００４１】
まずカバー３を閉じるとき、原稿押圧部材４の凸部頂点位置４ａが、原稿６の前記原稿基準６ａの位置を押圧する。その後、更にカバー３を閉じると、図４（ｂ）に示すように原稿押圧部材４が凸部頂点位置４ａを中心に平坦になるように変形し始める。即ち、凸部頂点位置４ａを頂点とした曲線状の形状又は滑らかな凸形状をした原稿押圧部材４は、平坦になることにより、原稿台７との接触量を次第に増加していく。そして、原稿押圧部材４の斜面４ｆは矢印Ｃ方向へ押し出され、斜面４ｂは矢印Ｄ方向へ押し出されることになる。これにより、稜線４ｅ、4kは前記、滑車４５、４６により移動可能となる。
【００４２】
よって、カバー３を閉じるに従って、コンタクトガラス２に載置された原稿６のカールは、原稿押圧部材４の斜面４ｂにより、操作部５の方向に伸張されることになる。そして、滑車４５、４６により原稿押圧部材４の移動が、前記変形例３よりも、より滑らかになり、つまり、カバー３側から原稿台７への押圧力の設定が容易に、かつ精度よく行なうことができる。なお、原稿押圧部材４に一定の張力を付与するように、例えば、スプリング８が原稿押圧部材４によって常時一定量圧縮されるように、孔部３６、３７の孔の範囲を決定してもよい。
【００４３】
また、図１１は第１の実施の形態の変形例５に関するカバー３の横断面を示す説明図である。カバー３の内部には図３（ａ）に示す第１の実施の形態と同様に、複数種類、本変形例では３種類のスプリング８ａ１〜３、８ｂ１〜３、８ｃ１〜３が設けられる。図１１において、前記実施の形態では、原稿押圧部材４の斜面４ｂ、４ｆが矢印Ｄ方向に押されることにより、原稿６のカールを伸張する作用をするものであるが、変形例５のように、原稿押圧部材４を巻き取るように構成してもよい。即ち、同図に示すように、操作者から見て原稿押圧部材４の手前側に回転可能な巻取り部５１を設け、巻取り部５１を回転させるためのはす歯歯車５２、はす歯歯車５２を保持するシャフト５３、シャフト５３を回転させるはす歯歯車５４、はす歯歯車５４を回転させるはす歯歯車５５、はす歯歯車５５を回転させるシャフト５６、シャフト５６を回転するウォームホイール５７を設け、ウォームホイール５７をカバー３の前記回転支持部３１に設けられたウォームギア５８と係合させる。これにより、カバー３の開閉の回転角度に応じて、原稿押圧部材４を巻き取ることができる。従って、カバー３内の退避部３３を巻き取った原稿押圧部材４の厚み分だけでよい。また、カバー３の開閉回転角度に応じた原稿押圧部材４の形状の制御が可能となる。
【００４４】
以上のように、第１の実施の形態によれば、スキャナ１００のカバー３の原稿押圧部材４が、原稿台７に対向する位置に原稿台７に向けて凸部を有するようにしたので、当該凸部によって原稿６を押圧し、変形した原稿６を平坦化することができる。即ち、原稿台７に原稿６をセットしてカバー３を閉じる際、カール等変形した原稿６であったとしても、原稿６の原稿基準６ａを原稿台７の読取基準位置７ａに合わせてセットすれば、カバー３の閉動作、つまり回転動作により、原稿押圧部材４の凸部頂点位置４ａが原稿６の原稿基準６ａを押圧した後、カバー３を閉じるに従って、原稿押圧部材４の斜面４ｂが徐々に原稿を押し広げていくため、カールを伸張してセットすることが可能となる。従って、カール等の変形した原稿６に対して、位置決め及びセットを簡単に行なうことができるので、操作性に優れ、かつ原稿６の位置ずれや原稿６の折れ曲りを防ぎ、読取画像の精度が落ちることのないスキャナ１００を提供することができる。
【００４５】
また、特にＹ軸方向にカールやシワを有する原稿６に対して、カバー３を閉じる際、原稿押圧部材４の凸部頂点位置４ａが原稿６の原稿基準６ａを押圧した後は、原稿６を押さえる必要がなく、簡単にセットすることが可能となり、操作の簡単なスキャナ１００を提供することができる。
【００４６】
＜第２の実施の形態＞
次に、第２の実施の形態について説明する。前記第１の実施の形態では、原稿押圧部材４の凸部頂点位置４ａが前記回転支持部３１の方向（Ｘ軸方向）に延在しているが、第２の実施の形態では図１２に示すように、原稿押圧部材６４の凸部頂点位置６４ａが山型に形成されている。即ち、凸部頂点位置６４ａは、前記回転支持部３１の軸方向及びこれに直角な方向に亘って一箇所である。
【００４７】
図１２は第２の実施の形態に関する画像読取装置の斜視図である。同図に示すように、画像読取装置であるスキャナ２００は、原稿読取部１及びカバー６３からなる。原稿読取部１には、原稿６を載置するためのコンタクトガラス２を含む原稿台７と、操作者が原稿６の読取りに際し各種設定事項を入力する操作部５が設けられている。原稿読取部１については、前記第１の実施の形態と同様であるので詳細な説明を省略する。
【００４８】
カバー６３は、操作部５から見て原稿読取部１の奥側に設けた回転支持部３１を回転軸として回転可能に支持され、原稿台７の原稿載置面に対して上下方向に開閉可能である。カバー６３は閉状態において読取り原稿を押圧して保持する。操作者はカバー６３の開閉に際し、カバー６３の手前側に設けた取手３２を使ってカバー６３を開閉する。カバー６３には、原稿台７に対向する面の、少なくともコンタクトガラス２に対向する面全面に原稿押圧部材６４が設けられている。
【００４９】
原稿押圧部材６４は可撓性を有する材料、例えばＰＥＴフィルム等で形成されており、外力に対して柔軟に変形可能な構成になっている。原稿押圧部材６４は、前記回転支持部３１の近傍で、かつ操作部５から見て左側に山型の頂上を形成する凸部頂点位置６４ａが設けられる。凸部頂点位置６４ａの位置は、カバー６３が閉じられたときに、原稿台７の読取基準位置７ａと一致する。即ち、原稿台７の読取基準位置７ａに合わせてセットされた原稿６があるとき、カバー６３を閉じると、凸部頂点位置６４ａは、原稿６の原稿基準６ａを押圧する。
【００５０】
原稿押圧部材６４の内部には、後述する複数のスプリングＬ１―Ｃ１、Ｍ２−Ｂ２、Ｓ２−Ａ２等が、原稿押圧部材６４をカバー６３から原稿台７に向けて付勢する付勢部材として設けられる。原稿押圧部材６４はスプリングＬ１―Ｃ１、Ｍ２−Ｂ２、Ｓ２−Ａ２等のスプリングの自由長により、山型に形成される。カバー６３がスプリングＬ１―Ｃ１、Ｍ２−Ｂ２、Ｓ２−Ａ２等の付勢力に抗して閉じられると、当該山型が変形し、平坦化することになる。カバー６３を原稿台７に対して閉状態にしたとき、カバー６３は原稿６をコンタクトガラス２へ押し付け、同時に、原稿６がカールしていた場合又はシワになっていた場合に原稿６のカール又はシワをＸ軸方向及びＹ軸方向に、つまり読取基準位置７ａを中心として放射状に伸張することができる。
【００５１】
図１３は第２の実施の形態に関するカバー６３を内部から見たとした場合の説明図である。カバー６３の原稿押圧部材６４の内部には複数種類のスプリングＬ１―Ｃ１、Ｍ３−Ｂ２、Ｓ２−Ａ２等が設けられる。スプリングＬ１−Ｃ１は前記凸部頂点位置６４ａの位置に設けられる。他のスプリングＭ３−Ｂ２、Ｓ２−Ａ２等は凸部頂点位置６４ａの位置から放射状に設けられる。各スプリングは原稿押圧部材６４の閉動作時のコンタクトガラス２への接触タイミングによって、配置を決定する。接触タイミングは図示すると図１３において、本実施の形態では大きく５つに分けており、凸部頂点位置６４ａに対応する境界線６３１、次に境界線６３１に近くかつカバー６３の回転支持部３１に近い境界線６３２、次に、境界線６３２に隣接する境界線６３３、最後に接触する境界線６３４の計４本の境界線で囲まれた５つのエリアに区分できる。
【００５２】
境界線６３２に囲まれたエリアにはスプリングＭ１−Ｂ１が設けられ、次の境界線６３３に囲まれたエリアにはスプリングＭ２−Ｂ２、Ｍ３−Ｂ２が設けられ、更に次の境界線６３４に囲まれたエリアにはスプリングＳ１−Ａ２、Ｓ２−Ａ２が設けられ、最も遠いエリアにはスプリングＸ１―Ａ３が設けられる。これらのスプリングの長さは、Ｌ１＞Ｍ１＞Ｍ２＞Ｍ３＞Ｓ１＞Ｓ２＞Ｘ１の関係を有する。また、これらのスプリングの強さはＣ１＜Ｂ１＜Ｂ２＜Ａ２＜Ａ３の関係を有する。即ち、スプリングＬ１―Ｃ１は自由長が一番長く、強さが一番弱い。スプリングＸ１―Ａ３は自由長が一番短く、強さが一番強い。スプリングＭ３―Ｂ２、Ｓ２―Ａ２等はその中間である。また、凸部頂点位置６４ａの位置の突出量が最も多くなる。このように各スプリングの長さと強さを調整することで、カバー６３を閉じたときの原稿押圧部材６４のコンタクトガラス２への押圧力のバランスを調整することができる。
【００５３】
図１４は図１３におけるＥＥ断面を示す説明図である。同図において、スプリングはスプリングＬ１−Ｃ１、Ｍ３−Ｂ２、Ｓ２−Ａ２のみ示す。原稿押圧部材６４は原稿台７の方向に向けて凸状になるように形状が保持されている。この凸形状は前記回転支持部３１の近傍端部に凸部頂点位置６４ａを有し、図３と同様に斜面６４ｂ、曲げ部６４ｃ、直線部６４ｄ、稜線６４ｅを有し、更に、斜面６４ｆ、曲げ部６４ｇ、直線部６４ｈ、稜線６4kを有する。原稿押圧部材６４の作用、退避部３３及び退避部３４については前記第１の実施の形態の説明と同様であるので説明を省略する。図１４に示す回転支持部３１から凸部頂点位置６４ａまでのＹ軸方向の距離Ａ１は、図１２の回転支持部３１から読取基準位置７ａまでのＹ軸方向の距離Ａ２と一致している。またＸ軸方向の凸部頂点位置６４ａと読取基準位置７ａの位置は一致している。即ち、カバー６３を原稿台７に対して閉状態にしたときに、Ｘ軸Ｙ軸方向共に、凸部頂点位置６４ａは読取基準位置７ａに一致し、凸部頂点位置６４ａは原稿６の原稿基準６ａを押圧することができる。
【００５４】
次に第２の実施の形態における原稿６を読取る際の動作について説明する。原稿６を読み取るために、原稿６をセットする基本動作は、第１実施の形態における図４の説明と同じである。第２の実施の形態では、カバー６３を閉じる際に、原稿押圧部材６４の凸部頂点位置６４ａが最初に原稿台７と当接する。即ち、押圧位置は凸部頂点位置６４ａのみなので、その状態で原稿位置を微調整する必要があるときは、原稿押圧部材６４の下を両手の甲で支えながら原稿６を微調整することができる。調整後に手を抜くとカバー６３は自重により閉じる。つまり、凸部頂点位置６４ａを起点として、稜線６4k全線と取手３２側へ順次、原稿押圧部材６４とコンタクトガラス２が接触していき、最後には端部６４ｂが接触してカバー６３が閉状態となるため、原稿６を縦横の両方向に伸張することができる。
【００５５】
以上のように、第２の実施の形態によれば、カバー６３の凸部頂点位置６４ａが原稿台７と最初に当接するので、その状態でカバー６３を支えていた手を離して両手の甲で原稿押圧部材６４を支えて保持しておくことにより、原稿の位置を微調整することができ、また、原稿６に折り目が付いていないかの確認を行なうことができる。更に、原稿押圧部材６４を支えていた手を徐々に抜くことにより、左右両端が筒状にカールしている原稿も簡単にセットすることが可能である。
【００５６】
次に、第２の実施の形態の種々の変形例を説明する。図１５は第２の実施の形態の変形例１を示す斜視図であり、図１６はカバー６３を内部から見たとした場合の説明図であり、図１７は図１６におけるＦＦ断面を示す説明図である。図１５に示すように、スキャナ２００は、原稿読取部１及びカバー６３からなる。原稿読取部１、カバー６３については、前記第１の実施の形態と同様であるので詳細な説明を省略する。原稿押圧部材６４は可撓性を有する材料、例えばＰＥＴフィルム等で形成されており、外力に対して柔軟に変形可能な構成になっている。
【００５７】
原稿押圧部材６４は、前記回転支持部３１の近傍で、かつ操作部５から見て左側に山型の頂上を形成する凸部頂点位置６４ａが設けられる。凸部頂点位置６４ａの位置は、カバー６３が閉じられたときに、原稿台７の読取基準位置７ａと一致する。即ち、原稿台７の読取基準位置７ａに合わせてセットされた原稿６があるとき、カバー６３を閉じると、凸部頂点位置６４ａは、原稿６の原稿基準６ａを押圧する。
【００５８】
原稿押圧部材６４の内部には複数の長さの異なる付勢部材としてのフィルム７１ａ、７１ｂ、７１ｃ、７１ｄが設けられる。フィルム７１ａ、７１ｂ、７１ｃ、７１ｄは、図１６に示すように凸部頂点位置６４ａを中心とした四分の一円の環状に設けられる。それらの内、フィルム７１ａが凸部頂点位置６４ａに最も近い位置に配設され、続いてフィルム７１ｂ、７１ｃ、７１ｄの順に配設される。フィルム７１ａ〜７１ｄはＰＥＴフィルムであり、各フィルム７１は両端７２、７３のみがカバー６３の底面６３ａに固着され、他の部分は接触しているのみである。
【００５９】
カバー６３が開かれている状態では、フィルム７１は原稿押圧部材６４を図１７に示す矢印Ｆ方向に付勢している。ここで、フィルム７１の付勢力に抗してカバー６３が閉じられると、図１７に示すように、原稿押圧部材６４は原稿台７から矢印Ｇ方向の押圧力を受ける。そうすると、フィルム７１ａ〜７１ｄの両端７２、７３以外は、矢印Ｈ方向に摺れる。
【００６０】
原稿押圧部材６４が、矢印Ｄ方向に移動するのは、前記第１の実施の形態で説明したのと同じである。このようにして、カバー６３がフィルム７１ａ〜７１ｄの付勢力に抗して閉じられると、山型が平坦化することになる。そうすると、原稿押圧部材６４が矢印Ｄ方向に押されるので、原稿６のカール又はシワをＸ軸方向及びＹ軸方向に伸張することができる。同時に、カバー６３は原稿６をコンタクトガラス２へ押し付けることができる。
【００６１】
なお、本第２の実施の形態の変形例１における付勢部材として、フィルム７１ａ、７１ｂ、７１ｃ、７１ｄを説明したが、これに限らない。即ち、付勢部材としての針金状のワイヤスプリングであっても第２の実施の形態を適用可能である。
【００６２】
図１８は第２の実施の形態の変形例２を示す斜視図であり、図１９はカバー６３を内部から見たとした場合の説明図であり、図２０は図１９におけるＪＪ断面を示す説明図であり、図２１は本変形例２に関する板バネ８１の斜視図である。図１８に示すように、スキャナ２００は、原稿読取部１及びカバー６３からなる。原稿読取部１、カバー６３については、前記第１の実施の形態と同様であるので詳細な説明を省略する。原稿押圧部材６４は可撓性を有する材料、例えばＰＥＴフィルム等で形成されており、外力に対して柔軟に変形可能な構成になっている。
【００６３】
原稿押圧部材６４は、前記回転支持部３１の近傍で、かつ操作部５から見て左側に山型の頂上を形成する凸部頂点位置６４ａが設けられる。凸部頂点位置６４ａの位置は、カバー６３が閉じられたときに、原稿台７の読取基準位置７ａと一致する。即ち、原稿台７の読取基準位置７ａに合わせてセットされた原稿６があるとき、カバー６３を閉じると、凸部頂点位置６４ａは、原稿６の原稿基準６ａを押圧する。
【００６４】
原稿押圧部材６４の内部には魚の骨型をした板バネ８１が設けられる。板バネ８１は、図１９に示すように環状に形成された複数の長さの異なる枝状板バネ部８１ａ、８１ｂ、８１ｃ、８１ｄ、８１ｅと、前記複数の枝状板バネ部８１ａ〜８１ｅを連結する幹状板バネ部８４からなる。
【００６５】
枝状板バネ部８１ａ〜８１ｅは凸部頂点位置６４ａを中心とした略四分の一円の環状に設けられる。それらの内、枝状板バネ部８１ａが、凸部頂点位置６４ａに最も近い位置に配設され、続いて枝状板バネ部８１ｂ、８１ｃ、８１ｄ、８１ｅの順に配設される。各板バネ８１は、両端８２、８３は原稿押圧部材６４に内側から接触しているのみである。
【００６６】
一方、幹状板バネ部８４は、各枝状板バネ部８１ａ〜８１ｅの中央部を連結する。幹状板バネ部８４は凸部頂点位置６４ａ付近から放射状に、即ちカバー６３の対角線方向に配置される形状となっている。板バネ８１は図２０に示すように、幹状板バネ部８４の先端部８５のみがカバー６３の底面６３ａに固着されている。従って、幹状板バネ部８４は原稿押圧部材６４に対して摺動自在に配置されるため、原稿押圧部材６４がカバー６３の閉動作に伴って変形しても、幹状板バネ部８４はその場で変形し、原稿押圧部材６４に対して押圧力を発生させる。なお、板バネ８１の変形量が大きい場合は、先端部８５をスライド可能に支持する図示しないガイドをカバー６３に設け、カバー６３の閉動作に伴って板バネ８１をスライドさせるようにしてもよい。
【００６７】
カバー６３が開かれている状態では、板バネ８１は原稿押圧部材６４を図２０に示す矢印Ｆ方向に付勢している。ここで、板バネ８１の付勢力に抗してカバー６３が閉じられると、図２０に示すように、カバー６３は原稿台７から矢印Ｇ方向の押圧力を受ける。そうすると、板バネ８１ａ〜８１ｄの両端８２、８３以外は、矢印Ｈ方向に摺れる。
【００６８】
原稿押圧部材６４が、矢印Ｄ方向に移動するのは、前記第１の実施の形態で説明したのと同じである。このようにして、カバー６３が板バネ８１の付勢力に抗して閉じられると、原稿押圧部材６４の山型が平坦化することになる。そうすると、原稿押圧部材６４が矢印Ｄ方向に押されるので、原稿６のカール又はシワをＸ軸方向及びＹ軸方向に伸張することができる。同時に、カバー６３は原稿６をコンタクトガラス２へ押し付けることができる。
【００６９】
第１、第２の実施の形態では、原稿台に載置された原稿を読取る画像読取装置に適用した例を説明したが、他にも媒体からの各種の情報を読み取る構造の装置においても適用可能である。
【符号の説明】
【００７０】
１      原稿読取部
２      コンタクトガラス
３      カバー
４      原稿押圧部材
４ａ    凸部頂点位置
５      操作部
６      原稿
６ａ    原稿基準
７      原稿台
７ａ    読取基準位置
８ａ、８ｂ、８ｃ      スプリング
１００、２００        スキャナ
【図１】
2011002488.tif 000003
【図２】
2011002488.tif 000004
【図３】
2011002488.tif 000005
【図４】
2011002488.tif 000006
【図５】
2011002488.tif 000007
【図６】
2011002488.tif 000008
【図７】
2011002488.tif 000009
【図８】
2011002488.tif 000010
【図９】
2011002488.tif 000011
【図１０】
2011002488.tif 000012
【図１１】
2011002488.tif 000013
【図１２】
2011002488.tif 000014
【図１３】
2011002488.tif 000015
【図１４】
2011002488.tif 000016
【図１５】
2011002488.tif 000017
【図１６】
2011002488.tif 000018
【図１７】
2011002488.tif 000019
【図１８】
2011002488.tif 000020
【図１９】
2011002488.tif 000021
【図２０】
2011002488.tif 000022
【図２１】
2011002488.tif 000023